(57)【要約】【課題】専門知識がなくとも、顧客が好む家具や建具等を選択させながら、インテリアデザインとしても統一がとれており、かつ顧客が真に好むデザインを提唱するシステムを提供すること。【解決手段】情報処理部と、記憶部と、ディスプレーとを有するインテリア提唱システムであって、少なくとも第一嗜好マップ11、第二嗜好マップ12、第三嗜好マップ13とを記憶部が有し、顧客が第一嗜好マップ11から選択したサンプルの座標を第一選択座標Ｐ１として記憶部に入力する段階と、第二嗜好マップ12上に第一選択フィールドＦ１を作成し顧客に提示する段階と、第一選択フィールドＦ１から選択したサンプルの座標を第二選択座標Ｐ２として記憶部に入力する段階と、第三嗜好マップ13上に第二選択フィールドＦ２を作成し顧客に提示する段階と、第二選択フィールドＦ２から選択したサンプルの座標を第三選択座標Ｐ３として前記記憶部に入力する段階と、を有する。【選択図】  図５
2005099943.tif 000002
【特許請求の範囲】
【請求項１】
顧客が家屋のインテリアを選択する際にこれを補助する、情報処理部と、記憶部と、ディスプレーとを有するインテリア提唱システムであって、
多数のサンプルを二次元に展開し、それぞれの中心点を重ねた、少なくとも第一嗜好マップ、第二嗜好マップ、第三嗜好マップとを前記記憶部が有し、
顧客が前記ディスプレーに表示された前記第一嗜好マップから選択したサンプルの座標を第一選択座標として前記記憶部に入力する段階と、
前記第一選択座標が投影される第二嗜好マップの座標を第一基準座標として、前記情報処理部が該第一基準座標を中心とした所定範囲の第一選択フィールドを作成し、該第一選択フィールドを前記ディスプレーにより顧客に提示する段階と、
顧客が前記ディスプレーに表示された前記第二嗜好マップの第一選択フィールドから選択したサンプルの座標を第二選択座標として前記記憶部に入力する段階と、
前記第二選択座標が投影される第三嗜好マップの座標を第二基準座標として、前記情報処理部が該第二基準座標を中心とした所定範囲の第二選択フィールドを作成し、該第二選択フィールドを前記ディスプレーにより顧客に提示する段階と、
顧客が前記ディスプレーに表示された前記第三嗜好マップの第二選択フィールドから選択したサンプルの座標を第三選択座標として前記記憶部に入力する段階と、
を有することを特徴とするインテリア提唱システム。
【請求項２】
請求項１に記載のインテリア提唱システムであって、
顧客の選択作業の前に、優先順位によって、第一嗜好マップ、第二嗜好マップ、第三嗜好マップの順に各種嗜好マップを割り当てることを特徴とするインテリア提唱システム。
【請求項３】
請求項１又は２に記載のインテリア提唱システムにおいて、
前記嗜好マップは、理性−感性軸と、自由−秩序軸との２軸を有することを特徴とするインテリア提唱システム。
【請求項４】
請求項１乃至３のいずれかに記載のインテリア提唱システムにおいて、
前記嗜好マップの選択フィールドの領域を縮小又は拡大させてディスプレーに提示することを特徴とするインテリア提唱システム。
【請求項５】
情報処理部と、記憶部と、ディスプレーとを有するコンピュータに対して、インテリアを提唱するため、指令を順次実行させるプログラムであって、
前記指令として、
多数のサンプルを二次元に展開し、それぞれの中心点を重ねた、少なくとも第一嗜好マップ、第二嗜好マップ、第三嗜好マップとを前記記憶部から読み出す段階と、
顧客が前記ディスプレーに表示された前記第一嗜好マップから選択したサンプルの座標を第一選択座標として前記記憶部に入力する段階と、
前記第一選択座標が投影される第二嗜好マップの座標を第一基準座標として、前記情報処理部が該第一基準座標を中心とした所定範囲の第一選択フィールドを作成し、該第一選択フィールドを前記ディスプレーにより顧客に提示する段階と、
顧客が前記ディスプレーに表示された前記第二嗜好マップの第一選択フィールドから選択したサンプルの座標を第二選択座標として前記記憶部に入力する段階と、
前記第二選択座標が投影される第三嗜好マップの座標を第二基準座標として、前記情報処理部が該第二基準座標を中心とした所定範囲の第二選択フィールドを作成し、該第二選択フィールドを前記ディスプレーにより顧客に提示する段階と、
顧客が前記ディスプレーに表示された前記第三嗜好マップの第二選択フィールドから選択したサンプルの座標を第三選択座標として前記記憶部に入力する段階と、
を有することを特徴とするインテリア提唱プログラム。
【請求項６】
請求項５に記載のインテリア提唱プログラムを記憶したことを特徴とする記憶媒体。
【発明の詳細な説明】
【技術分野】
【０００１】
本発明は、住宅等のインテリアのデザインを提唱するシステムであって、特に専門知識がなくとも、使用者の好みのインテリアの構成要素を選択していくことで、統一感のあるインテリアデザインを形成することができるインテリア提唱システムに関する。
【背景技術】
【０００２】
従来、顧客が住宅等のインテリアデザインを決定する際には、インテリアの構成要素である建具ごとあるいは家具ごとに掲載されたパンフレットから好みの部材を選択し、それらの部材を統合することでインテリアを構成していた。
【０００３】
しかし、建具や家具のデザインが許容される範囲内に統一されていないと、実際に家屋が完成して建具を設置し、更に家具を配置した時に、部屋のインテリアのデザインとして統一観のないものが構成されてしまう。その結果、インテリアデザインの構成要素である個々の建具や家具が好みのものであっても、インテリアデザインとしては顧客の嗜好と異なるものとなるおそれがあった。
【０００４】
このため、インテリアデザインとして統一観を維持しつつ好みの建具や家具を選択するためには、インテリア・コーディネーター等のインテリアデザインに関する専門的な知識を有する者のアドバイスを受けつつ、顧客が建具や家具を選ぶ必要があった。
【０００５】
そこで、専門的知識を有する者のアドバイスがなくとも、顧客の好みであり統一観のとれたデザインを決定する方法がある（例えば、特許文献１参照）。
【０００６】
特許文献１においては、まず、カラーコーディネーターが色の調和を図りつつ作成した、住宅の外装デザイン全体の外観図がイメージマップとしてディスプレー上に表示される。顧客が好みの外観図を選択すると、それとデザイン性が合うように作成された構成要素（外壁、塀、門扉、床、樋、屋根、植栽等）の図面が提示される。ここで、前記外観図と前記構成要素の図とは１対１で対応している。
【０００７】
【特許文献１】特開２００１−３５７０９７
【発明の開示】
【発明が解決しようとする課題】
【０００８】
しかしながら、上記のようにイメージマップ上の外観図と構成要素の図とが１対１で対応していると、外観図を選択した後、表示される構成要素の範囲が制限されてしまう。このため、顧客が外観図を一つ選択すると、他の外観図に対応した構成要素を選択することはできなくなる。この結果、構成要素について顧客の選択の幅を狭めてしまい、顧客が真に好むデザインを得ることが困難となっていた。
【０００９】
また、イメージマップは予め与えられて限られた範囲であるので、顧客が斬新な嗜好をもっていた場合でも、そのイメージマップ外になった場合には、顧客にとって好ましいデザインを得ることは困難となっていた。
【００１０】
本発明は専門知識がなくとも、顧客が好む家具や建具等を選択させながら、インテリアデザインとしても統一がとれており、かつ顧客が真に好むデザインを提唱するシステムを提供することを目的とする。
【課題を解決するための手段】
【００１１】
前記目的を達成するための本発明に係る代表的な構成は、顧客が家屋のインテリアを選択する際にこれを補助する、情報処理部と、記憶部と、ディスプレーとを有するインテリア提唱システムであって、多数のサンプルを二次元に展開し、それぞれの中心点を重ねた、少なくとも第一嗜好マップ、第二嗜好マップ、第三嗜好マップとを前記記憶部が有し、顧客が前記ディスプレーに表示された前記第一嗜好マップから選択したサンプルの座標を第一選択座標として前記記憶部に入力する段階と、前記第一選択座標が投影される第二嗜好マップの座標を第一基準点として、前記情報処理部が該第一基準点を中心とした所定範囲の第一選択フィールドを作成し、該第一選択フィールドを前記ディスプレーにより顧客に提示する段階と、顧客が前記ディスプレーに表示された前記第二嗜好マップの第一選択フィールドから選択したサンプルの座標を第二選択座標として前記記憶部に入力する段階と、前記第二選択座標が投影される第三嗜好マップの座標を第二基準点として、前記情報処理部が該第二基準点を中心とした所定範囲の第二選択フィールドを作成し、該第二選択フィールドを前記ディスプレーにより顧客に提示する段階と、顧客が前記ディスプレーに表示された前記第三嗜好マップの第二選択フィールドから選択したサンプルの座標を第三選択座標として前記記憶部に入力する段階と、を有することを特徴とする。
【００１２】
このように、インテリアデザインとして統一のとれる所定範囲を予め設定し、その所定範囲内のサンプルのみを表示する構成としたため、インテリアデザインとして統一観のとれるサンプルのみをディスプレーに表示することができる。
【００１３】
また、顧客の選択作業の前に、優先順位によって、第一嗜好マップ、第二嗜好マップ、第三嗜好マップの順に各種嗜好マップを割り当てることもできる。
【００１４】
また、前記嗜好マップは、理性−感性軸と、自由−秩序軸との２軸を有する構成とすることもできる。
【００１５】
また、前記嗜好マップの選択フィールドの領域を縮小又は拡大させてディスプレーに提示することもできる。
【００１６】
また、  情報処理部と、記憶部と、ディスプレーとを有するコンピュータに対して、インテリアを提唱するため、指令を順次実行させるプログラムであって、前記指令として、多数のサンプルを二次元に展開し、それぞれの中心点を重ねた、少なくとも第一嗜好マップ、第二嗜好マップ、第三嗜好マップとを前記記憶部から読み出す段階と、顧客が前記ディスプレーに表示された前記第一嗜好マップから選択したサンプルの座標を第一選択座標として前記記憶部に入力する段階と、前記第一選択座標が投影される第二嗜好マップの座標を第一基準座標として、前記情報処理部が該第一基準座標を中心とした所定範囲の第一選択フィールドを作成し、該第一選択フィールドを前記ディスプレーにより顧客に提示する段階と、顧客が前記ディスプレーに表示された前記第二嗜好マップの第一選択フィールドから選択したサンプルの座標を第二選択座標として前記記憶部に入力する段階と、前記第二選択座標が投影される第三嗜好マップの座標を第二基準座標として、前記情報処理部が該第二基準座標を中心とした所定範囲の第二選択フィールドを作成し、該第二選択フィールドを前記ディスプレーにより顧客に提示する段階と、顧客が前記ディスプレーに表示された前記第三嗜好マップの第二選択フィールドから選択したサンプルの座標を第三選択座標として前記記憶部に入力する段階と、を有する構成とすることもできる。
【００１７】
また、前記プログラムを記録した記録媒体を構成することもできる。
【発明の効果】
【００１８】
以上のように、インテリアデザインとして統一のとれる所定範囲を予め自由に設定し、その所定範囲内のサンプルを表示し、複数回以上この作業を繰り返す構成としたため、インテリアデザインとして統一観のとれるサンプルのみをディスプレーに表示することができる。このため、顧客がインテリアデザインに関する専門的な知識を有せずとも、表示されるサンプルの中から顧客の嗜好に合った家具や建具等を選択させることで、インテリアデザインとしても統一がとれており、かつ顧客が真に好むデザインを提唱することができる。
【００１９】
また、顧客の選択作業の前に、優先順位によって、第一嗜好マップ、第二嗜好マップ、第三嗜好マップの順に各種嗜好マップを割り当てる構成とすると、より顧客にとって好ましいインテリアデザインを提唱することができる。
【００２０】
また、前記嗜好マップは、理性−感性軸と、自由−秩序軸との２軸を有する構成とすると、既存のインテリアデザインの枠にとらわれることなく、考えられ得る全てのインテリアデザインのサンプルを、一つの嗜好マップ上に配置することができる。このため、顧客の嗜好を、既存のインテリアデザインに当てはめるのではなく、顧客が望む場合、伝統的なものと現代的なものとを融合させ、斬新で統一の取れたデザインを提唱することも可能となる。
【００２１】
また、前記嗜好マップの選択フィールドの領域を縮小又は拡大させてディスプレーに提示すると、顧客が自分の選択した座標が嗜好マップのどこに位置するかを目視することで、自らの嗜好を把握することができる。
【００２２】
例えば、第一嗜好マップを縮小してディスプレーに提示することにより、選択できる領域を非常に大きくとることができる。その結果、顧客が縮小前では極めて斬新なイメージを持つ場合であっても、縮小後は好みのサンプルを選択することが可能となる。
【００２３】
また、その結果を受けた第一選択フィールドでは、表示可能なサンプル数が少ないが、拡大することによりサンプル数を沢山表示することができるので、より具体的なサンプルを選択することが可能となる。
【００２４】
また、提唱するサンプルの数を増減させることで、選択の自由度を更に高めることができる。
【００２５】
また、上記内容に関してプログラム化をすれば量産化が可能となる。このため、例えば記録媒体に記録した場合には、多数の営業マンが顧客に容易に対応することができ、顧客の嗜好に合ったインテリアを迅速に決定することができる。
【発明を実施するための最良の形態】
【００２６】
図により本発明の実施形態を具体的に説明する。図１はインテリア提唱システムの全体概略図であり、図２はインテリアイメージマップを示す図であり、図３はフィックス要素マップを示す図であり、図４はファニシング要素マップを示す図であり、図５はインテリア提唱システムの実施例１の動作時の模式的な説明図であり、図６はインテリア提唱システム動作時の実施例１のフローチャートであり、図７はインテリア提唱システムの実施例２の動作時の模式的な説明図であり、図８はインテリア提唱システム動作時の実施例２のフローチャートである。
【００２７】
以下の説明においては、まずインテリア提唱システムの構成要素について詳細に説明した後、インテリア提唱システムの動作について実施例ごとに説明する。
【００２８】
（インテリア提唱システム）
図１に示すように、本発明に係るインテリア提唱システムＡは、インテリアの構成要素のサンプルを表示するためのディスプレー１と、ディスプレー１に提示されたサンプルを顧客が選択して入力する入力手段２と、入力手段２により入力された内容に関して記憶をする記憶部３ａ及び入力された内容から顧客の嗜好を判断処理する情報処理部３ｂを有するコンピュータ３と、により構成される。
【００２９】
記憶部３ａには、嗜好マップに係るデータが予め記憶されている。本実施形態の嗜好マップとしては、インテリア全体のイメージに係る複数のサンプルを２次元的に配置したインテリアイメージマップ11と、インテリアの構成要素である建具等に係る複数のサンプルを２次元的に配置したフィックス要素マップ12と、インテリアの構成要素である家具等に係る複数のサンプルを２次元的に配置したファニシング要素マップ13と、があげられる。
【００３０】
（嗜好マップ）
記憶部３ａに記憶される嗜好マップは、予めインテリア・コーディネーター等のインテリアデザインに関する専門的な知識を有する者によって作成する。次に、インテリアイメージマップ11、フィックス要素マップ12、ファニシング要素マップ13の順に構成を説明する。
【００３１】
インテリアイメージマップ11は、家具や建具等を有するインテリア全体のイメージのサンプルを２次元のマップ上に配置したものである。図２に示すように、横軸に理性−感性軸（人間軸）を、縦軸に自由−秩序軸（社会軸）をとる。そして、この２軸により形成された２次元の座標上に、代表的なインテリアイメージのサンプルを配置する。
【００３２】
ここで各軸の説明をする。人間軸において、より『理性』側に配置されたサンプルはよりシンプルな構成となる傾向にあり、より『感性』側に配置されたサンプルはより装飾的な構成となる傾向にある。また、社会軸において、より『自由』側に配置されたサンプルはより明るく同調の色で構成される傾向にあり、より『秩序』側に配置されたサンプルはより濃くコントラストの効いた色で構成される傾向にある。
【００３３】
このような軸構成とすることで、既存の代表的なインテリアイメージの枠にとらわれることなく、考えられ得る全てのインテリアイメージのサンプルを、一つのマップ11上に配置することができる。このため、顧客の嗜好を、既存のインテリアイメージに当てはめるのではなく、顧客が望む場合、伝統的なものと現代的なものとを融合させ、斬新で統一の取れたデザインを提唱することも可能となる。
【００３４】
ここで、代表的なインテリアイメージとしては、図中にもあるように、ベーシックで堅実なインテリアである『オーソドックス』、シンプルで可能性にあふれるインテリアである『ソフト・ミニマム』、日本の住まいを基にした無駄のないインテリアである『Ｊ・モダン』、北欧のシンプルなスタイルを基としたインテリアである『ナチュラル・モダン』、自然のスタイルを基とした味わい豊かなインテリアである『カントリー・モダン』、伝統的な様式を基とし重厚でシックな質感のあるインテリアである『オーセンティック』等があげられる。
【００３５】
図３に示すように、フィックス要素マップ12は、インテリアイメージマップ11と中心点が同一で、かつインテリアイメージマップ11と同軸かつ同じ縮尺でマップが構成され、該マップ12上に部屋に固定される要素のサンプルを配置したものである。部屋に固定される要素として具体的には、建具・枠（建具、建具枠、開口枠）、仕上材（床、壁、天井等）及び造作材（幅木、回り縁）を意味する。尚、図３は建具のドアに関するサンプルの写真を例示して図示したものである。
【００３６】
図４に示すように、ファニシング要素マップ13は、インテリアイメージマップ11と中心点が同一で、かつインテリアイメージマップ11と同軸かつ同じ縮尺でマップが構成され、該マップ11上に部屋に備え付ける要素のサンプルを配置したものである。部屋に備え付ける要素として具体的には、家具（ソファー、椅子、机等）、窓枠、照明等を意味する。尚、図４は家具のソファーに関するサンプルの写真を例示して図示したものである。
【実施例１】
【００３７】
上記構成により、インテリア提唱システムＡがインテリアを決定するまでの動作について、図５の模式図及び図６のフローチャートを用いて詳細に説明する。実施例１においては、最初にインテリアイメージを選択し、そのイメージに合わせたフィックス要素及びファニシング要素を表示して顧客にサンプルを選択させるという手順でインテリアを提唱する。
【００３８】
図６に示すように、まず、顧客がインテリア提唱システムＡを動作させると、情報処理部３ｂが記憶部３ａに記憶してある第一嗜好マップとしてのインテリアイメージマップ11上の代表的なインテリアイメージのサンプルをディスプレー１に順次表示する（Ｓ01）。ここで、ディスプレー１に表示する領域を初期選択フィールドＦ０として図５に示す。
【００３９】
この場合、『オーソドックス』の周辺から１つ表示し、次に『オーセンティック』の周辺から１つ表示する、といったようにマップ11全体からまんべんなく表示してもよいし、『オーソドックス』に近いものから徐々に軸の外側にあるサンプルを表示してもよい。
【００４０】
代表的なサンプルを顧客が一つ選択すると（Ｓ02）、情報処理部３ｂは該サンプルのある座標を顧客の嗜好が近い座標だと判断する。そして、選択したサンプルの座標を中心として、そのサンプルの近傍のインテリアイメージマップ11上のサンプルをディスプレー１に表示する（Ｓ03）。
【００４１】
顧客がインテリアイメージマップ11上でサンプルを選択すると（Ｓ04）、情報処理部３ｂは、そのサンプルが配置されたインテリアイメージマップ11上の座標が最も顧客が好ましいと思う嗜好のポイントだと判断して、そのサンプルの配置された座標（第一選択座標Ｐ１）を記憶部３ａに入力する（Ｓ05）。
【００４２】
記憶部３ａに第一選択座標Ｐ１が入力されると、図５に示すように、情報処理部３ｂは第一選択座標Ｐ１と同じ座標を第二嗜好マップとしてのフィックス要素マップ12上に投影する。この投影された座標を第一基準座標ｐ１と呼ぶ（Ｓ06）。そして第一基準座標ｐ１を中心としてインテリア上許容できる範囲を第一選択フィールドＦ１と決定する（Ｓ07）。尚、フィールドの大きさはインテリアデザインに関する専門的な知識を有する者によって予め決められている。
【００４３】
第一選択フィールドＦ１が決定すると、情報処理部３ｂは、第一基準座標ｐ１を中心として、第一基準座標ｐ１に近い位置から順に、第一選択フィールドＦ１内のフィックス要素のサンプルを順次ディスプレー１に表示する（Ｓ08）。このため、第一選択フィールドＦ１内のサンプル以外のサンプルは表示されない。ここで、フィックス要素マップ12上には、建具・枠、仕上材、造作材等、複数の構成要素が配置してあるが、個々の構成要素ごとに表示すると、顧客が比較しやすく好ましい。
【００４４】
顧客がフィックス要素マップ12中の建具・枠、仕上材、造作材のサンプルの選択を全て終えると（Ｓ09）、情報処理部３ｂは、顧客が選択した建具・枠、仕上材、造作材の各座標からの距離が最も近い座標を第二選択座標Ｐ２として記憶部３ａに入力する（Ｓ10）。また同時に、選択した建具・枠、仕上材、造作材のサンプルの座標をも記憶部３ａに入力する。
【００４５】
記憶部３ａに第二選択座標Ｐ２が入力されると、図５に示すように、情報処理部３ｂは第二選択座標Ｐ２と同じ座標を第三嗜好マップとしてのファニシング要素マップ13上に投影する。この投影された座標を第二基準座標ｐ２と呼ぶ（Ｓ11）。そして第二基準座標ｐ２を中心としてインテリア上許容できる範囲を第二選択フィールドＦ２と判断する（Ｓ12）。尚、フィールドの大きさはインテリアデザインに関する専門的な知識を有する者によって予め決められている。
【００４６】
第二選択フィールドＦ２が決定すると、情報処理部３ｂは、第二基準座標ｐ２に近い位置から順に、第二選択フィールドＦ２内のファニシング要素のサンプルを順次ディスプレー１に表示する（Ｓ13）。ここで、ファニシング要素マップ13上には、家具、窓枠、照明等等、複数の構成要素が配置してあるが、個々の構成要素ごとに表示すると、顧客が比較しやすく好ましい。
【００４７】
顧客がファニシング要素マップ13中の家具、窓枠、照明のサンプルの選択を全て終えると（Ｓ14）、情報処理部３ｂは、顧客が選択した家具、窓枠、照明の各座標からの距離が最も近い座標を第三選択座標Ｐ３として記憶部３ａに入力する（Ｓ15）。また同時に、選択した家具、窓枠、照明のサンプルの座標をも記憶部３ａに入力する。
【００４８】
最後に情報処理部３ｂは、顧客が選択したサンプルを基に記憶部３ａに入力されたフィックス要素及びファニシング要素を読み出し、提唱するインテリアイメージとしてディスプレー１に表示して（Ｓ16）終了する。
【００４９】
尚、実施例１においては、第一〜第三嗜好マップの３つを提示してインテリアデザインを提唱したが、これに限るものではなく、例えば構成要素ごとに嗜好マップを構成して、より多くの嗜好マップを提示する手順を経て、インテリアデザインを提唱することもできる。
【００５０】
また、実施例１においては、嗜好マップを一度ずつ提示してインテリアデザインを提唱する構成としたが、これに限るものではなく、既に提示した嗜好マップを再び提示してインテリアデザインを提唱することもできる。必要に応じて何度もサンプル選択済の嗜好マップを提示することで、顧客の嗜好をより適確に把握することができ、万一、顧客が誤った選択をしたときでも、確実に顧客の嗜好に合ったデザインを提唱することができる。
【実施例２】
【００５１】
上記構成により、インテリア提唱システムＡがインテリアを決定するまでの動作について、図７の模式図及び図８のフローチャートを用いて詳細に説明する。実施例２においては、最初にインテリアの構成要素についての優先順位を顧客が決定し、その優先順位に応じて情報処理部３ｂが嗜好マップを選択しつつサンプルを表示して、顧客にサンプルを選択させるという手順でインテリアを提唱する。
【００５２】
図８に示すように、顧客がインテリア提唱システムＡを動作させると、情報処理部３ｂは、フィックス要素マップ12及びファニシング要素マップ13の構成要素（建具・枠、仕上材、造作材、家具、窓枠、照明）をディスプレー１に表示する（Ｓ01）。顧客は構成要素に優先順位をつけて、その順に各構成要素名を入力する（Ｓ02）。ここでは、顧客が、『建具・枠』、『仕上材』、『家具』の順で優先順位をつけた場合について説明する。
【００５３】
上述の通り、顧客の優先順位の１番目が『建具・枠』であった場合、情報処理部３ｂは記憶部３ａから第一嗜好マップとしてフィックス要素マップ12を読み込み、マップ12の『建具・枠』（例えば図３に示すドア）のみのサンプルを表示する。ここで、ディスプレー１に表示する領域を初期選択フィールドＧ０として図８に示す。
【００５４】
この場合、フィックス要素マップ12全体のサンプル数は非常に多いため、実施例１と同様にまず代表的なサンプルを表示し（Ｓ03）、その後、顧客が選択した前記代表的なサンプル座標を中心として（Ｓ04）、そのサンプルの近傍のフィックス要素マップ12内の『建具・枠』をディスプレー１に詳細に表示する（Ｓ05）。
【００５５】
顧客がフィックス要素マップ12上で『建具・枠』の代表的なサンプルを選択すると（Ｓ06）、情報処理部３ｂは、そのサンプルの配置された座標（第一選択座標Ｑ１）を記憶部３ａに入力する（Ｓ07）。
【００５６】
記憶部３ａに第一選択座標Ｑ１が入力されると、情報処理部３ｂは、顧客が選択した優先順位の２番目の『仕上材』が掲載されるフィックス要素マップ12を、第二嗜好マップとして記憶部３ａから読み込む。
【００５７】
図７に示すように、情報処理部３ｂは第一選択座標Ｑ１と同じ座標を、第二嗜好マップとしてのフィックス要素マップ12上に投影する。この投影された座標を第一基準座標ｑ１と呼ぶ（Ｓ08）。そして第一基準座標ｑ１を中心としてインテリア上許容できる範囲を第一選択フィールドＧ１と決定する（Ｓ09）。尚、フィールドの大きさはインテリアデザインに関する専門的な知識を有する者によって予め決められている。
【００５８】
第一選択フィールドＧ１が決定すると、情報処理部３ｂは、第一基準座標ｑ１に近い位置から順に、第一選択フィールドＧ１内の『仕上材』のサンプルを順次ディスプレー１に表示する（Ｓ10）。
【００５９】
顧客がフィックス要素マップ12中の『仕上材』のサンプルを選択すると（Ｓ11）、情報処理部３ｂは、顧客が選択した仕上材の座標を第二選択座標Ｑ２として記憶部３ａに入力する（Ｓ12）。
【００６０】
記憶部３ａに第二選択座標Ｑ２が入力されると、情報処理部３ｂは、顧客が選択した優先順位の３番目の『家具』が掲載されるファニシング要素マップ13を、第三嗜好マップとして記憶部３ａから読み込む。
【００６１】
図７に示すように、情報処理部３ｂは第二選択座標Ｑ２及び第一選択座標Ｑ１と同じ座標を第三嗜好マップとしてのファニシング要素マップ13上に投影し、第一基準座標ｑ１及び第二基準座標ｑ２を決定する（Ｓ13）。そして第一基準座標ｑ１及び第二基準座標ｑ２を含みインテリア上許容できる範囲を第二選択フィールドＧ２として決定する（Ｓ14）この際、図７に示すように、第一基準座標ｑ１と第二基準座標ｑ２と中間点を第三基準座標ｑ３として第二選択フィールドＧ２の基準座標としてもよい。尚、フィールドの大きさはインテリアデザインに関する専門的な知識を有する者によって予め決められている。
【００６２】
第二選択フィールドＧ２が決定すると、情報処理部３ｂは、第二選択フィールドＧ２の中心に近い位置から順に、第二選択フィールドＧ２内の『家具』のサンプルを順次ディスプレー１に表示する（Ｓ15）。
【００６３】
顧客がファニシング要素マップ13中の『家具』の選択をすると（Ｓ16）、情報処理部３ｂは、選択した『家具』のサンプルの座標を第三選択座標Ｑ３として記憶部３ａに入力する（Ｓ17）。
【００６４】
最後に情報処理部３ｂは、顧客が選択したサンプルを基に記憶部３ａも入力された『建具・枠』、『仕上材』、『家具』の各サンプルを読み出し、提唱するインテリアイメージとしてディスプレー１に表示して（Ｓ18）終了する。
【００６５】
このように、顧客の選択作業の前に、優先順位によって、第一嗜好マップ、第二嗜好マップ、第三嗜好マップの順に各種嗜好マップを割り当てる構成とすると、より顧客にとって好ましいインテリアデザインを提唱することができる。
【００６６】
（他の実施例）
上述した実施例においては、ディスプレー１に嗜好マップのサンプルを順次提示していったが、これに限るものではなく、サンプルを配置した嗜好マップそのものを画面に映し出してサンプルを提示してもよい。この場合、例えば第一嗜好マップ上の代表的なサンプルを顧客が選択すると、嗜好マップの前記代表的なサンプル近傍を拡大表示することで、代表的なサンプル近傍の個々のサンプルを見ることができる。
【００６７】
このように、前記嗜好マップの選択フィールドの領域を縮小又は拡大させてディスプレーに表示する構成とすると、顧客が自分の選択した座標が嗜好マップのどこに位置するかを目視することで、自らの嗜好を把握しやすいという利点がある。
【産業上の利用可能性】
【００６８】
本発明の活用例としては、家屋のインテリア以外にも、様々なインテリアを顧客の好みに応じて決定することができる。
【図面の簡単な説明】
【００６９】
【図１】インテリア提唱システムの全体概略図。
【図２】インテリアイメージマップを示す図。
【図３】フィックス要素マップを示す図。
【図４】ファニシング要素マップを示す図。
【図５】インテリア提唱システムの実施例１の動作時の模式的な説明図。
【図６】インテリア提唱システム動作時の実施例１のフローチャート。
【図７】インテリア提唱システムの実施例２の動作時の模式的な説明図。
【図８】インテリア提唱システム動作時の実施例２のフローチャート。
【符号の説明】
【００７０】
Ａ …インテリア提唱システム
Ｆ０ …初期選択フィールド、Ｆ１ …第一選択フィールド、Ｆ２ …第二選択フィールド
Ｇ０ …初期選択フィールド、Ｇ１ …第一選択フィールド、Ｇ２ …第二選択フィールド
Ｐ１ …第一選択座標、Ｐ２ …第二選択座標、Ｐ３ …第三選択座標
Ｑ１ …第一選択座標、Ｑ２ …第二選択座標、Ｑ３ …第三選択座標
ｐ１ …第一基準座標、ｐ２ …第二基準座標
ｑ１ …第一基準座標、ｑ２ …第二基準座標、ｑ３ …第三基準座標
１ …ディスプレー
２ …入力手段
３ …コンピュータ、３ａ …記憶部、３ｂ …情報処理部
11 …インテリアイメージマップ
12 …フィックス要素マップ
13 …ファニシング要素マップ
【図１】
2005099943.tif 000003
【図２】
2005099943.tif 000004
【図３】
2005099943.tif 000005
【図４】
2005099943.tif 000006
【図５】
2005099943.tif 000007
【図６】
2005099943.tif 000008
【図７】
2005099943.tif 000009
【図８】
2005099943.tif 000010